(57)【要約】【課題】販売促進効果の高いインターネットショッピングシステムを提供する。【解決手段】サーバ１０は、商品情報を出品者の端末２から取得する出品受付手段１１と、価格は非表示の状態で商品情報をユーザの端末１で表示させる商品表示手段１１と、所定時刻になると価格を、商品の価格以外の商品情報に関連付けてユーザの端末１で表示させる価格表示手段１１と、ユーザの端末１で価格を表示させた後、ユーザの端末１による商品の選択を受け付け、選択された商品の商品情報を取得する商品選択受付手段１１と、ユーザ情報を取得するユーザ情報取得手段１１と、選択された商品の商品情報と商品を選択したユーザのユーザ情報とを関連付けて発注情報として保持する発注情報保持手段１２を備え、価格を表示させてから所定時間が経過した後には、新たな商品の選択の受け付けを拒絶する商品選択拒絶手段１１をさらに備える。【選択図】図３
2014164451.tif 000002
【特許請求の範囲】
【請求項１】
ユーザの端末と、商品の出品者の端末と、ショッピングサイトの運営者のサーバがネットワークを介して接続されたインターネットショッピングシステムにおいて、
前記サーバは、
前記ショッピングサイトに出品される商品の名称，価格，画像等からなる商品情報を前記出品者の端末から取得する出品受付手段と、
前記価格は非表示の状態で前記商品の価格以外の商品情報を前記ユーザの端末で表示させる商品表示手段と、
所定時刻になると前記価格を、前記商品の価格以外の商品情報に関連付けて前記ユーザの端末で表示させる価格表示手段と、
前記ユーザの端末で前記価格を表示させた後、前記ユーザの端末による商品の選択を受け付け、選択された前記商品の商品情報を取得する商品選択受付手段と、
前記ユーザの氏名，住所等からなるユーザ情報を前記ユーザの端末から取得するユーザ情報取得手段と、
選択された前記商品の商品情報と前記商品を選択したユーザのユーザ情報とを関連付けて発注情報として保持する発注情報保持手段を備えることを特徴とするインターネットショッピングシステム。
【請求項２】
前記サーバは、前記価格表示手段によって前記価格を表示させてから所定時間が経過した後には、新たな前記商品の選択の受け付けを拒絶する商品選択拒絶手段をさらに備えることを特徴とする請求項１に記載のインターネットショッピングシステム。
【請求項３】
前記サーバは、前記商品表示手段で前記商品の価格以外の商品情報を前記ユーザの端末で表示させるときに合わせて、前記所定時刻も表示させることを特徴とする請求項１又は２に記載のインターネットショッピングシステム。
【請求項４】
前記サーバは、前記商品選択受付手段において前記価格の表示後に先着順で前記ユーザの端末による商品の選択を受け付けることを特徴とする請求項１乃至３のうちいずれか一つに記載のインターネットショッピングシステム。
【請求項５】
前記サーバは、前記商品表示手段で前記商品の価格以外の商品情報を前記ユーザの端末で表示させたときに、前記ユーザが商品の購入価格として希望する購入希望価格の入力を受け付ける予約受付手段をさらに備え、
入力された前記購入希望価格が前記価格よりも高い場合には、前記商品選択受付手段において他のユーザよりも優先的に前記購入希望価格で商品の選択を受け付けることを特徴とする請求項１乃至４のうちいずれか一つに記載のインターネットショッピングシステム。
【請求項６】
前記価格よりも高い前記購入希望価格を入力したユーザが複数人である場合には、前記購入希望価格を高く入力したユーザから順に優先的に商品の選択を受け付けることを特徴とする請求項５に記載のインターネットショッピングシステム。
【請求項７】
ユーザの端末と、商品の出品者の端末と、ショッピングサイトの運営者のサーバがネットワークを介して接続されたインターネットショッピングシステムにおいて、
前記サーバは、
前記ショッピングサイトに出品される商品の名称，価格，画像等からなる商品情報を前記出品者の端末から取得する出品受付手段と、
前記価格は非表示の状態で前記商品の価格以外の商品情報を前記ユーザの端末で表示させる商品表示手段と、
前記商品表示手段で前記商品の価格以外の商品情報を前記ユーザの端末で表示させたときに、前記ユーザが商品の購入価格として希望する購入希望価格の入力を受け付ける予約受付手段と、
入力された前記購入希望価格が前記価格よりも高い場合には、前記ユーザの端末による商品の予約を正式な商品の選択として受け付け、選択された前記商品の商品情報を取得する売買成立手段と、
前記ユーザの氏名，住所等からなるユーザ情報を前記ユーザの端末から取得するユーザ情報取得手段と、
選択された前記商品の商品情報と前記商品を選択したユーザのユーザ情報とを関連付けて発注情報として保持する発注情報保持手段と、
売買が成立した商品の価格を非表示のまま保持する価格非表示保持手段を備えることを特徴とするインターネットショッピングシステム。
【発明の詳細な説明】
【技術分野】
【０００１】
本発明は、ユーザの端末と、商品の出品者の端末と、ショッピングサイトの運営者のサーバがネットワークを介して接続されたインターネットショッピングシステムに関するものである。
【背景技術】
【０００２】
近年、一般家庭にもパソコンの普及が進み、それに伴いインターネットショッピングも広く利用されている。
ショッピングサイト（仮想ショッピングモール）ではユーザが商品を選択可能なように、通常の店舗での販売方法と同様に、商品の名称や画像とともにその価格が常に表示されている（例えば、非特許文献１，２参照）
【先行技術文献】
【非特許文献】
【０００３】
【非特許文献１】アマゾンジャパン株式会社、"Ａｍａｚｏｎ．ｃｏ．ｊｐ"、［ｏｎｌｉｎｅ］、［平成２５年２月２８日検索］、インターネット〈ＵＲＬ：ｈｔｔｐ：／／ｗｗｗ．ａｍａｚｏｎ．ｃｏ．ｊｐ〉
【非特許文献２】楽天株式会社、"楽天市場"、［ｏｎｌｉｎｅ］、［平成２５年２月２１日検索］、インターネット〈ＵＲＬ：ｈｔｔｐ：／／ｗｗｗ．ｒａｋｕｔｅｎ．ｃｏ．ｊｐ〉
【０００４】
このようなショッピングサイトでは、現実の店舗では扱えない程多くの種類の商品を扱っており、しかもユーザはキーワード等を用いてサイト内を検索することで容易に目的の商品に辿り着くことができる。しかも、２４時間ユーザの都合のいい時間にショッピングサイトにおいてショッピング可能である。
また、クレジットカードで決済可能なショッピングサイトも多く、商品の購入時にユーザの財布から直接現金が出て行かないので、現実の店舗で現金決済する場合よりもユーザが商品の購入に至る確率が高い。
【発明の概要】
【発明が解決しようとする課題】
【０００５】
しかしながら、ショッピングサイトでは現実の店舗のように店員が接客するわけではないので、商品の選択という決断が後回しになってしまうユーザも少なくない。このように購入の検討はするけれども実際の購入に至らないユーザに対して、ショッピングサイト側から購入の後押しをすることは困難である。
【０００６】
また、インターネットショッピングでは現実の店舗とは異なり、ユーザがウィンドウショッピングを行うことはほとんどないので、目的の商品とは別の商品に偶然めぐり合う機会も限られているという問題もある。
【０００７】
そこで、本発明の目的とするところは、販売促進効果の高いインターネットショッピングシステムを提供することにある。
【課題を解決するための手段】
【０００８】
上記の目的を達成するために、本発明の請求項１に記載のインターネットショッピングシステムは、ユーザの端末（１）と、商品の出品者の端末（２）と、ショッピングサイトの運営者のサーバ（１０）がネットワーク（１００）を介して接続されたインターネットショッピングシステムにおいて、前記サーバ（１０）は、前記ショッピングサイトに出品される商品の名称，価格，画像等からなる商品情報を前記出品者の端末（２）から取得する出品受付手段（１１）と、前記価格は非表示の状態で前記商品の価格以外の商品情報を前記ユーザの端末（１）で表示させる商品表示手段（１１）と、所定時刻になると前記価格を、前記商品の価格以外の商品情報に関連付けて前記ユーザの端末（１）で表示させる価格表示手段（１１）と、前記ユーザの端末（１）で前記価格を表示させた後、前記ユーザの端末（１）による商品の選択を受け付け、選択された前記商品の商品情報を取得する商品選択受付手段（１１）と、前記ユーザの氏名，住所等からなるユーザ情報を前記ユーザの端末（１）から取得するユーザ情報取得手段（１１）と、選択された前記商品の商品情報と前記商品を選択したユーザのユーザ情報とを関連付けて発注情報として保持する発注情報保持手段（１２）を備えることを特徴とする。
【０００９】
また、請求項２に記載のインターネットショッピングシステムは、前記サーバ（１０）は、前記価格表示手段によって前記価格を表示させてから所定時間が経過した後には、新たな前記商品の選択の受け付けを拒絶する商品選択拒絶手段（１１）をさらに備えることを特徴とする。
【００１０】
また、請求項３に記載のインターネットショッピングシステムは、前記サーバ（１０）は、前記商品表示手段（１１）で前記商品の価格以外の商品情報を前記ユーザの端末（１）で表示させるときに合わせて、前記所定時刻も表示させることを特徴とする。
【００１１】
また、請求項４に記載のインターネットショッピングシステムは、前記サーバ（１０）は、前記商品選択受付手段（１１）において前記価格の表示後に先着順で前記ユーザの端末（１）による商品の選択を受け付けることを特徴とする。
【００１２】
また、請求項５に記載のインターネットショッピングシステムは、前記サーバ（１０）は、前記商品表示手段（１１）で前記商品の価格以外の商品情報を前記ユーザの端末（１）で表示させたときに、前記ユーザが商品の購入価格として希望する購入希望価格の入力を受け付ける予約受付手段（１１）をさらに備え、入力された前記購入希望価格が前記価格よりも高い場合には、前記商品選択受付手段（１１）において他のユーザよりも優先的に前記購入希望価格で商品の選択を受け付けることを特徴とする。
【００１３】
また、請求項６に記載のインターネットショッピングシステムは、前記価格よりも高い前記購入希望価格を入力したユーザが複数人である場合には、前記購入希望価格を高く入力したユーザから順に優先的に商品の選択を受け付けることを特徴とする。
【００１４】
また、請求項７に記載のインターネットショッピングシステムは、ユーザの端末と、商品の出品者の端末と、ショッピングサイトの運営者のサーバがネットワークを介して接続されたインターネットショッピングシステムにおいて、前記サーバは、前記ショッピングサイトに出品される商品の名称，価格，画像等からなる商品情報を前記出品者の端末から取得する出品受付手段と、前記価格は非表示の状態で前記商品の価格以外の商品情報を前記ユーザの端末で表示させる商品表示手段と、前記商品表示手段で前記商品の価格以外の商品情報を前記ユーザの端末で表示させたときに、前記ユーザが商品の購入価格として希望する購入希望価格の入力を受け付ける予約受付手段と、入力された前記購入希望価格が前記価格よりも高い場合には、前記ユーザの端末による商品の予約を正式な商品の選択として受け付け、選択された前記商品の商品情報を取得する売買成立手段と、前記ユーザの氏名，住所等からなるユーザ情報を前記ユーザの端末から取得するユーザ情報取得手段と、選択された前記商品の商品情報と前記商品を選択したユーザのユーザ情報とを関連付けて発注情報として保持する発注情報保持手段と、売買が成立した商品の価格を非表示のまま保持する価格非表示保持手段を備えることを特徴とする。
【００１５】
ここで、上記括弧内の記号は、図面および後述する発明を実施するための形態に掲載された対応要素または対応事項を示す。
【発明の効果】
【００１６】
本発明の請求項１に記載のインターネットショッピングシステムによれば、価格は非表示の状態で商品の価格以外の商品情報をユーザの端末で表示させ、所定時刻になると価格を、商品の価格以外の商品情報に関連付けてユーザの端末で表示させてから、ユーザの端末による商品の選択を受け付けるので、商品の販売価格がいくらであるか多くのユーザに注目され、期待が高まることで購買意欲が上昇する。
また、ユーザがその商品を購入したいと思った場合には、商品の価格を知るためにユーザが所定時刻まで何度もそのショッピングサイトに訪れる。よって、そのユーザはショッピングサイトに訪れるたびに他の商品についても閲覧し得るので、販売促進効果が上がる。つまり、インターネットショッピングであっても、ユーザにウィンドウショッピングをしてもらうことができるので、販売促進に繋がる。
【００１７】
また、請求項２に記載のインターネットショッピングシステムによれば、請求項１に記載の発明の作用効果に加え、サーバは、価格を表示させてから所定時間が経過した後には、新たな商品の選択の受け付けを拒絶するので、ユーザは限られた時間内で商品を購入するか否かを決断しなければならず、商品購入の後押しになる。
【００１８】
また、請求項３に記載のインターネットショッピングシステムによれば、請求項１又は２に記載の発明の作用効果に加え、サーバは、商品の価格以外の商品情報をユーザの端末で表示させるときに合わせて所定時刻も表示させるので、いつがその所定時刻か不明である場合に比べて、ユーザが時間的な予定を立てることができる。よって、その所定時刻においてユーザにショッピングサイトへアクセスしてもらえる確率が上がるので、それに伴いユーザが商品を購入する確率も上がる。
【００１９】
また、請求項４に記載のインターネットショッピングシステムによれば、請求項１乃至３に記載の発明の作用効果に加え、サーバは、価格の表示後に先着順でユーザの端末による商品の選択を受け付けるので、所定時間内であってもより早期にユーザが商品の購入を決断するようになる。
【００２０】
また、請求項５に記載のインターネットショッピングシステムによれば、請求項１乃至４に記載の発明の作用効果に加え、サーバは、商品の価格以外の商品情報をユーザの端末で表示させたときに、ユーザが商品の購入価格として希望する購入希望価格の入力を受け付け、入力された購入希望価格が価格よりも高い場合には、他のユーザよりも優先的に購入希望価格で商品の選択を受け付けるので、ユーザがその商品に対して購入意欲が高い場合には、購入できる可能性を自ら高めることができる。また、そのようなユーザがいた場合には、ショッピングサイトの運営者としては本来の価格以上の値段で商品を販売することができるので、利益が大きくなる。
【００２１】
また、請求項６に記載のインターネットショッピングシステムによれば、請求項５に記載の発明の作用効果に加え、価格よりも高い購入希望価格を入力したユーザが複数人である場合には、購入希望価格を高く入力したユーザから順に優先的に商品の選択を受け付けるので、購買意欲が高いユーザは購入希望価格を高く指定して入力することで商品を購入できる可能性をより高めることができるし、ショッピングサイトの運営者の利益も大きい。
【００２２】
また、請求項７に記載のインターネットショッピングシステムによれば、商品の価格以外の商品情報をユーザの端末で表示させたときに、ユーザが商品の購入価格として希望する購入希望価格の入力を受け付け、入力された購入希望価格が価格よりも高い場合には、ユーザの端末による商品の予約を正式な商品の選択として受け付けるので、ショッピングサイトの運営者にとって利益が大きい。
しかも、売買が成立した商品の価格を非表示のまま保持するので、ユーザは損をしたと感じることがなく、気持ちよくショッピングを楽しむことができる。
【００２３】
なお、本発明のインターネットショッピングシステムのように、価格は非表示の状態で商品の価格以外の商品情報をユーザの端末で表示させ、所定時刻になると価格を、商品の価格以外の商品情報に関連付けてユーザの端末で表示させる点は、上述した非特許文献１，２には全く記載されていない。
【図面の簡単な説明】
【００２４】
【図１】本発明の第一実施形態に係るインターネットショッピングシステムの通信構成を示すブロック図である。
【図２】本発明の第一実施形態に係るインターネットショッピングシステムにおけるサーバの電気的構成概要を示すブロック図である。
【図３】本発明の第一実施形態に係るインターネットショッピングシステムにおけるサーバの制御部の処理を示すフローチャートである。
【図４】本発明の第二実施形態に係るインターネットショッピングシステムにおけるサーバの制御部の処理を示すフローチャートである。
【図５】本発明の第三実施形態に係るインターネットショッピングシステムにおけるサーバの制御部の処理を示すフローチャートである。
【図６】本発明の第四実施形態に係るインターネットショッピングシステムにおけるサーバの制御部の処理を示すフローチャートである。
【発明を実施するための形態】
【００２５】
（第一実施形態）
図１乃至図３を参照して、本発明の第一実施形態に係るインターネットショッピングシステムを説明する。
このインターネットショッピングシステムは、ユーザの端末１と、商品の出品者の端末２と、ショッピングサイトの運営者のサーバ１０がインターネット１００を介して接続されている。
【００２６】
ユーザの端末１、出品者の端末２は、家庭や企業に広く普及している一般的なパソコンである。ウェブブラウザを使用してショッピングサイトにアクセス可能な性能を有していれば、それらの端末はどのような性能のものであってもよい。
出品者は複数存在し、事前に運営者によってショッピングサイト上に出品（出店）可能かどうかの審査が行われる。
もちろん、ユーザも複数存在する。
【００２７】
運営者のサーバ１０は、図２に示すように制御部１１と、記憶部１２と、出力用のディスプレイ等からなる出力部１３と、入力用のキーボードやマウス等からなる入力部１４を備えている。
制御部１１は、記憶部１２に記憶された制御プログラムに従ってシステム全体を制御するものであり、ＣＰＵからなる。
記憶部１２は、ＲＯＭやＲＡＭといった記憶媒体からなる。ＲＯＭには、システム全体を制御する制御プログラム等が記憶される。ＲＡＭには商品情報、ユーザ情報、発注情報等が記憶される。
なお、記憶部１２として、ＨＤＤ等の他の記憶媒体が、主に又は補助的に用いられてもよい。
【００２８】
以上のように構成されたインターネットショッピングシステムにおける、サーバ１０の制御部１１が行う制御について、図３に示すフローチャートを参照して説明する。
まず、サーバ１０の電源を入れた後、システムの初期化を行う（ステップＳ１０１（以下、「ステップ」という語を省略する））。
【００２９】
次に、出品者がどの商品をショッピングサイトで出品するかを決めると、その商品の名称，価格，画像、個数等からなる商品情報を出品者の端末２からショッピングサイトの運営者のサーバ１０に送信する。制御部１１はその商品情報を出品者の端末２から取得し記憶部１２に記憶させる（Ｓ１０２）。
【００３０】
次に、ユーザの端末１から商品情報の表示の要求、つまりサイトの閲覧があると、サーバ１０の制御部１１は、価格は非表示の状態で商品の価格以外の商品情報をユーザの端末１で表示させる（Ｓ１０３）。
またサーバ１０の制御部１１は、商品の価格以外の商品情報をユーザの端末１で表示させるときに合わせて、その商品の価格が明らかにされる所定時刻も同時にユーザの端末１で表示させる（Ｓ１０４）。
すなわち、その商品の価格が何月何日の何時にホームページ上に表示されるかを、ユーザは事前に知ることができる。
【００３１】
この所定時刻とは、商品の価格以外の商品情報が公開されてから、例えば１週間後のある時刻であり、商品ごとに設定される。
このように価格が非表示のときには、商品の価格以外の商品情報が表示されていたとしても、その商品を購入及び購入予約することはできない。
【００３２】
そして、所定時刻になると（Ｓ１０５）、サーバ１０の制御部１１は価格を、商品の価格以外の商品情報に関連付けてユーザの端末１で表示させる（Ｓ１０６）。
【００３３】
ユーザの端末１で価格を表示させた後（価格の表示と同時であってもよい）、サーバ１０の制御部１１はユーザの端末１からの商品の受け付けを可能にする（Ｓ１０７）。つまり、制御部１１は商品の価格を表示するとともに、例えば「購入」や「買い物かごに入れる」といった押下可能なボタンを表示する。
【００３４】
次に、サーバ１０の制御部１１は、価格を表示させてから所定時間（例えば１０秒）が経過した後には（Ｓ１０８）、ユーザの端末１による新たな商品の選択の受け付けを拒絶する（Ｓ１０９）。
【００３５】
ここで、ユーザの端末１から商品の選択があった場合には（Ｓ１１０）、サーバ１０の制御部１１は、ユーザの端末１による商品の選択を受け付け、選択された商品の商品情報を取得する（Ｓ１１１）。
また、サーバ１０の制御部１１は、商品を選択したユーザの氏名，住所等からなるユーザ情報をユーザの端末１から取得する（Ｓ１１１）。
なお、サーバ１０の制御部１１は、価格の表示後に複数のユーザの端末１から商品の選択があった場合には、先着順でユーザの端末１による商品の選択を受け付ける。
【００３６】
最後に、サーバ１０の制御部１１は、選択された商品の商品情報と、商品を選択したユーザのユーザ情報とを関連付けて発注情報として記憶部１２に保持させる（Ｓ１１２）。
【００３７】
以上のように構成及び制御されたインターネットショッピングシステムによれば、価格は非表示の状態で商品の価格以外の商品情報をユーザの端末１で表示させ、所定時刻になると価格を、商品の価格以外の商品情報に関連付けてユーザの端末１で表示させてから、ユーザの端末１による商品の選択を受け付けるので、商品の販売価格がいくらであるか多くのユーザに注目され、期待が高まることで購買意欲が上昇する。
このようにユーザの期待を高めることが重要になってくるので、このショッピングサイトで出品される商品はアウトレット品等の、安売り可能なものがより適している。
【００３８】
また、サーバ１０は、価格を表示させてから所定時間が経過した後には、新たな商品の選択の受け付けを拒絶するので、ユーザは限られた時間内で商品を購入するか否かを決断しなければならず、商品購入の後押しになる。
【００３９】
また、サーバ１０は、商品の価格以外の商品情報をユーザの端末１で表示させるときに合わせて所定時刻も表示させるので、いつがその所定時刻か不明である場合に比べて、ユーザが時間的な予定を立てることができる。よって、その所定時刻においてユーザにショッピングサイトへアクセスしてもらえる確率が上がるので、それに伴いユーザが商品を購入する確率も上がる。
【００４０】
また、サーバ１０は、価格の表示後に先着順でユーザの端末１による商品の選択を受け付けるので、所定時間内であってもより早期にユーザが商品の購入を決断するようになる。
【００４１】
（第二実施形態）
次に図４を参照して、本発明の第二実施形態に係るインターネットショッピングシステムを説明する。なお、第一実施形態と同一部分には同一符号を付した。
本実施形態の第一実施形態との違いは、商品の価格が明らかにされる所定時刻をユーザがそのときまで知ることができない点であり、構成要素に関しては第一実施形態と同一である。
【００４２】
つまり、本実施形態に係る制御部１１は以下の制御を行う。
まず、制御部１１はシステムの初期化を行う（Ｓ１０１）。
次に、制御部１１は商品情報を出品者の端末２から取得し記憶部１２に記憶させる（Ｓ１０２）。
【００４３】
次に、サーバ１０の制御部１１は、価格は非表示の状態で商品の価格以外の商品情報をユーザの端末１で表示させる（Ｓ１０３）。
ここで、商品の価格が明らかにされる所定時刻が具体的にいつであるかを、ユーザが知ることができない。
【００４４】
そして、所定時刻になると（Ｓ１０５）、何の前触れもなくサーバ１０の制御部１１は価格を、商品の価格以外の商品情報に関連付けてユーザの端末１で表示させる（Ｓ１０６）。
ユーザの端末１で価格を表示させた後（価格の表示と同時であってもよい）、サーバ１０の制御部１１はユーザの端末１からの商品の受け付けを可能にする（Ｓ１０７）。
【００４５】
次に、サーバ１０の制御部１１は、価格を表示させてから所定時間（例えば１０秒）が経過した後には（Ｓ１０８）、ユーザの端末１による新たな商品の選択の受け付けを拒絶する（Ｓ１０９）。
ユーザの端末１から商品の選択があった場合には（Ｓ１１０）、サーバ１０の制御部１１は、選択された商品の商品情報及びユーザ情報を取得する（Ｓ１１１）。
最後に、サーバ１０の制御部１１は発注情報を記憶部１２に保持させる（Ｓ１１２）。
【００４６】
以上のように制御されたインターネットショッピングシステムによれば、非表示にされた商品の価格が明らかにされる時刻をユーザが知ることができないので、ユーザがその商品を購入したいと思った場合には、商品の価格を知るためにユーザが所定時刻まで何度もそのショッピングサイトに訪れる。
よって、そのユーザはショッピングサイトに訪れるたびに他の商品についても閲覧し得るので、販売促進効果が上がる。つまり、インターネットショッピングであっても、ユーザにウィンドウショッピングをしてもらうことができるので、販売促進に繋がる。
【００４７】
（第三実施形態）
次に図５を参照して、本発明の第三実施形態に係るインターネットショッピングシステムを説明する。なお、第一実施形態と同一部分には同一符号を付した。
本実施形態の第一実施形態との違いは、商品の価格以外の商品情報が表示されてから価格が表示されるまでに、ユーザからの商品選択の予約を受け付けることであり、構成要素に関しては第一実施形態と同一である。
【００４８】
つまり、本実施形態に係る制御部１１は以下の制御を行う。
まず、制御部１１はシステムの初期化を行う（Ｓ１０１）。
次に、制御部１１は商品情報を出品者の端末２から取得し記憶部１２に記憶させる（Ｓ１０２）。
【００４９】
次に、サーバ１０の制御部１１は、価格は非表示の状態で商品の価格以外の商品情報をユーザの端末１で表示させる（Ｓ１０３）。
これと同時にその商品の価格が明らかにされる所定時刻もユーザの端末１で表示させる（Ｓ１０４）。
【００５０】
次に、サーバ１０の制御部１１は、ユーザが商品の購入価格として希望する購入希望価格の入力を受け付ける（Ｓ１１３）。
この時点でユーザは本来の価格を知ることができないので、入力された購入希望価格は本来の価格よりも低いこともあれば高いこともある。
【００５１】
そして、所定時刻になると（Ｓ１０５）、サーバ１０の制御部１１は価格を、商品の価格以外の商品情報に関連付けてユーザの端末１で表示させ（Ｓ１０６）、ユーザの端末１からの通常の商品の受け付けを可能にする（Ｓ１０７）。
ここで、Ｓ１１３で入力された購入希望価格が本来の価格よりも高い場合には、他のユーザよりも優先的に購入希望価格で商品の選択を受け付ける。したがって、本来の価格よりも高い購入希望価格を入力したユーザの数が商品の在庫数以上であると在庫切れとなりＳ１０７ではそれ以外のユーザからの選択は拒絶される。なおこのとき、購入希望価格を高く入力したユーザから順に優先的に商品の選択が受け付けられる。
【００５２】
仮に、Ｓ１１３で入力された購入希望価格が本来の価格よりも低い場合には、そのユーザの予約が拒絶されて、ユーザは所定時刻になるとその拒絶の事実を知ることができる。予約が拒絶されたユーザは、まだ商品の購入意思を持っているのであれば、通常のユーザと同様にＳ１０７で（通常のルートで）商品を選択可能である。
【００５３】
次に、サーバ１０の制御部１１は、価格を表示させてから所定時間が経過した後には（Ｓ１０８）、ユーザの端末１による新たな商品の選択の受け付けを拒絶する（Ｓ１０９）。
ユーザの端末１から商品の選択があった場合には（Ｓ１１０）、サーバ１０の制御部１１は、選択された商品の商品情報及びユーザ情報を取得する（Ｓ１１１）。
最後に、サーバ１０の制御部１１は発注情報を記憶部１２に保持させる（Ｓ１１２）。
【００５４】
以上のように制御されたインターネットショッピングシステムによれば、サーバ１０は、商品の価格以外の商品情報をユーザの端末１で表示させたときに、ユーザが商品の購入価格として希望する購入希望価格の入力を受け付け、入力された購入希望価格が価格よりも高い場合には、他のユーザよりも優先的に購入希望価格で商品の選択を受け付けるので、ユーザがその商品に対して購入意欲が高い場合には、購入できる可能性を自ら高めることができる。また、そのようなユーザがいた場合には、ショッピングサイトの運営者としては本来の価格以上の値段で商品を販売することができるので、利益が大きくなる。
【００５５】
また、価格よりも高い購入希望価格を入力したユーザが複数人である場合には、購入希望価格を高く入力したユーザから順に優先的に商品の選択を受け付けるので、購買意欲がさらに高いユーザは購入希望価格を高く指定して入力することで商品を購入できる可能性をより高めることができるし、ショッピングサイトの運営者の利益も大きい。
【００５６】
（第四実施形態）
次に図６を参照して、本発明の第四実施形態に係るインターネットショッピングシステムを説明する。なお、第三実施形態と同一部分には同一符号を付した。
本実施形態の第三実施形態との違いは、最後まで商品の価格が非表示にされていることである。
【００５７】
つまり、本実施形態に係る制御部１１は以下の制御を行う。
まず、制御部１１はシステムの初期化を行う（Ｓ１０１）。
次に、制御部１１は商品情報を出品者の端末２から取得し記憶部１２に記憶させる（Ｓ１０２）。
【００５８】
次に、サーバ１０の制御部１１は、価格は非表示の状態で商品の価格以外の商品情報をユーザの端末１で表示させる（Ｓ１０３）。
【００５９】
次に、サーバ１０の制御部１１は、ユーザが商品の購入価格として希望する購入希望価格の入力を受け付ける（Ｓ１１３）。
ユーザは本来の価格を知ることができないので、入力された購入希望価格は本来の価格よりも低いこともあれば高いこともある。
【００６０】
商品の予約（購入希望価格の入力）があり（Ｓ１１４）、入力された購入希望価格が価格よりも高い場合には（Ｓ１１５）、サーバ１０の制御部１１はユーザの端末１による商品の予約を正式な商品の選択として受け付け、売買契約が成立する（Ｓ１１６）。
【００６１】
次に、サーバ１０の制御部１１は、選択された商品の商品情報及びユーザ情報を取得する（Ｓ１１７）。
次に、サーバ１０の制御部１１は発注情報を記憶部１２に保持させる（Ｓ１１８）。
そして、本来の価格は売買が成立した後でも非表示のまま保持される（Ｓ１１９）。
【００６２】
以上のように制御されたインターネットショッピングシステムによれば、商品の価格以外の商品情報をユーザの端末１で表示させたときに、ユーザが商品の購入価格として希望する購入希望価格の入力を受け付け、入力された購入希望価格が価格よりも高い場合には、ユーザの端末１による商品の予約を正式な商品の選択として受け付けるので、ショッピングサイトの運営者にとって利益が大きい。
しかも、売買が成立した商品の価格を非表示のまま保持するので、ユーザは損をしたと感じることがなく、気持ちよくショッピングを楽しむことができる。
【００６３】
なお、第一乃至第三実施形態において、価格を表示させてから所定時間が経過した後には、新たな商品の選択の受け付けを拒絶するとしたが、これに限られるものではなく、在庫がある限り選択受付可能であってもよい。たとえこのような場合であっても、多くのユーザに注目され期待が高まるので、購買意欲が上昇する。
【００６４】
また、価格の表示後に先着順でユーザの端末１による商品の選択を受け付けるとしたが、これに限られるものではなく、例えば抽選であってもよい。
【００６５】
同様に、第三実施形態において、価格表示前の予約受付において、本来の価格よりも高い購入希望価格を入力したユーザが複数人の場合には、購入希望価格を高く入力したユーザから順に優先であるとしたが、これに限られるものではなく、抽選であってもよい。
【００６６】
さらに、商品を購入可能な所定時間が過ぎてしまったり、購入者が商品の在庫数を上回ってしまったりして、購入したいのに購入できなかったユーザのために、同じ商品を再販売するようにユーザが要求するアンコール機能を設けてもよい。
【００６７】
また、商品の選択を受け付ける所定時間を１０秒であるとしたが、この長さに限られるものではない。
【符号の説明】
【００６８】
１      ユーザの端末
２      出品者の端末
１０      サーバ
１１      制御部（出品受付手段、商品表示手段、価格表示手段、商品選択受付手段、ユーザ情報取得手段、商品選択拒絶手段、予約受付手段、売買成立手段、価格非表示保持手段）
１２      記憶部（発注情報保持手段）
１３      出力部
１４      入力部
１００      インターネット（ネットワーク）
【図１】
2014164451.tif 000003
【図２】
2014164451.tif 000004
【図３】
2014164451.tif 000005
【図４】
2014164451.tif 000006
【図５】
2014164451.tif 000007
【図６】
2014164451.tif 000008